(57)【要約】【課題】樋の真上から落下する水滴だけでなく、より広範囲から落下する水滴を受容して所定位置に排水することが可能な樋装置の提供。【解決手段】連棟型ビニールハウスの屋根２ａと屋根２ｂとの間に形成される谷部３を構成する谷樋部材４の下方に配設される樋装置１であって、谷部３に沿ってその下方に配される樹脂フィルム材１０と、谷部３の下方に、谷部３の形成方向に沿って延設される樋部材１１であって、樹脂フィルム材１０の下端部が内挿される断面凹状の耳部１１ｂを備えた樋部材１１と、耳部１１ｂ内に樹脂フィルム材１０の上から挿入され、樹脂フィルム材１０を固定する固定部材１２とを有する。【選択図】図１
2015014099.tif 000002
【特許請求の範囲】
【請求項１】
連棟型ビニールハウスの屋根と屋根との間に形成される谷部を構成する谷樋部材の下方に配設される樋装置であって、
前記谷部に沿ってその下方に配される樹脂フィルム材と、
前記谷部の下方に、前記谷部の形成方向に沿って延設される樋部材であって、前記樹脂フィルム材の下端部が内挿される断面凹状の耳部を備えた樋部材と、
前記耳部内に前記樹脂フィルム材の上から挿入され、前記樹脂フィルム材を固定する固定部材と
を有する樋装置。
【請求項２】
前記樋部材は、前記谷部を挟んで両側に並設されたものであり、
前記谷部に沿ってその下方に配される樹脂フィルム材は、前記並設された樋部材の外側の耳部に内挿されたものであり、
さらに、前記並設された樋部材の間に配され、この樋部材の内側の耳部内に配される樹脂フィルム材と、この樹脂フィルム材の上から挿入され、この樹脂フィルム材を固定する固定部材とを有する請求項１記載の樋装置。
【発明の詳細な説明】
【技術分野】
【０００１】
本発明は、連棟型ビニールハウスの谷部を形成する谷樋部材の下方に配設される樋装置に関する。
【背景技術】
【０００２】
従来、連棟型ビニールハウスでは、屋根との屋根との間に形成される谷部に谷樋部材を取り付けて、これらの水を所定位置に排水するようにしている（例えば特許文献１，２参照。）。また、ビニールハウスでは、内外の温度差による結露現象によって屋根の樹脂フィルム材の内面に大量の水滴が付着し、これが樹脂フィルム材を伝いながらビニールハウス内に落下すると、作物の根腐れが発生したり、湿度が高くなって作物に病気が発生したりする。同様に、金属製の谷樋部材にも結露によって水滴が付着し、ビニールハウス内に落下することがある。そのため、従来、谷部の谷樋部材の下方にも樋を設ける二重樋を採用し、落下する水滴を受けて排水するようにしている（特許文献１参照。）。
【先行技術文献】
【特許文献】
【０００３】
【特許文献１】実公昭６１−３７２４４号公報
【特許文献２】実開平６−４６４３９号公報
【発明の概要】
【発明が解決しようとする課題】
【０００４】
ところが、二重樋の場合、結露現象により屋根の樹脂フィルム材の内面に付着した水滴のうち、途中で落下する水滴以外の水滴は全て受容して所定位置に排水することはできるものの、樋の真上から落下する水滴以外は受容することができないという欠点がある。
【０００５】
そこで、本発明においては、樋の真上から落下する水滴だけでなく、より広範囲から落下する水滴を受容して所定位置に排水することが可能な樋装置を提供することを目的とする。
【課題を解決するための手段】
【０００６】
本発明の樋装置は、連棟型ビニールハウスの屋根と屋根との間に形成される谷部を構成する谷樋部材の下方に配設される樋装置であって、谷部に沿ってその下方に配される樹脂フィルム材と、谷部の下方に、谷部の形成方向に沿って延設される樋部材であって、樹脂フィルム材の下端部が内挿される断面凹状の耳部を備えた樋部材と、耳部内に樹脂フィルム材の上から挿入され、樹脂フィルム材を固定する固定部材とを有するものである。
【０００７】
本発明の樋装置によれば、屋根と屋根との間に形成された谷部に沿ってその下方に配された樹脂フィルム材により、屋根の内面および谷樋部材の下面から落下する水滴を受け、谷部の下方に谷部の形成方向に沿って延設された樋部材に導き、所定位置に排水することが可能となる。また、本発明の樋装置では、固定部材を樋部材の耳部内に挿入するだけで簡単に樹脂フィルム材を固定することができるとともに、不要時には固定部材を樋部材の耳部内から取り外すだけで簡単に樹脂フィルム材の固定を解くことができる。
【０００８】
また、本発明の樋装置では、屋根から降りてくる冷気が、その下方に配された樹脂フィルム材によって遮断される。さらに、本発明の樋装置では、屋根の谷部とその下方に配された樹脂フィルム材との間のわずかな空間だけを暖めるだけで、屋根と屋根との間に形成された谷部に溜まった雪を溶かすことが可能である。
【０００９】
ここで、樋部材は、谷部を挟んで両側に並設されたものであり、谷部に沿ってその下方に配される樹脂フィルム材は、並設された樋部材の外側の耳部に内挿されたものであり、さらに、並設された樋部材の間に配され、この樋部材の内側の耳部内に配される樹脂フィルム材と、この樹脂フィルム材の上から挿入され、この樹脂フィルム材を固定するゴム紐材とを有するものであることが望ましい。
【００１０】
これにより、屋根と屋根との間に形成された谷部に沿ってその下方に配された樹脂フィルム材により、屋根の内面および谷樋部材の下面から落下する水滴を受け、谷部の下方に谷部の形成方向に沿って谷部を挟んで両側に並設された樋部材にそれぞれ導き、所定位置に排水することが可能となる。
【発明の効果】
【００１１】
（１）本発明の樋装置は、谷部に沿ってその下方に配される樹脂フィルム材と、谷部の下方に、谷部の形成方向に沿って延設される樋部材であって、樹脂フィルム材の下端部が内挿される断面凹状の耳部を備えた樋部材と、耳部内に樹脂フィルム材の上から挿入され、樹脂フィルム材を固定するゴム紐材とを有することにより、樋の真上から落下する水滴だけでなく、より広範囲から落下する水滴を、谷部に沿ってその下方により配された樹脂フィルム材により受け、樋部材に導いて所定位置に排水することが可能となる。
【００１２】
（２）また、本発明の樋装置では、固定部材を樋部材の耳部内に挿入するだけで簡単に樹脂フィルム材を固定することができるとともに、不要時には固定部材を樋部材の耳部内から取り外すだけで簡単に樹脂フィルム材の固定を解くことができるので、必要に応じて谷部の下方に配される樹脂フィルム材の取り付けおよび取り外しを容易に行うことができる。
【００１３】
（３）また、本発明の樋装置では、屋根から降りてくる冷気が、その下方に配された樹脂フィルム材によって遮断されるため、ビニールハウス内の環境へ悪影響を及ぼすのを防止することができる。さらに、本発明の樋装置では、寒冷地において屋根と屋根との間に形成された谷部に溜まった雪を溶かすために、この屋根の谷部とその下方に配された樹脂フィルム材との間のわずかな空間だけを暖めれば良いため、効率良く短時間で融雪することができる。
【図面の簡単な説明】
【００１４】
【図１】本発明の実施の形態における樋装置の使用例を示す縦断面図である。
【図２】図１のＡ−Ａ断面図である。
【図３】図１の樋部材の斜視図である。
【図４】図１の支持部材の斜視図である。
【発明を実施するための形態】
【００１５】
図１は本発明の実施の形態における樋装置の使用例を示す縦断面図、図２は図１のＡ−Ａ断面図、図３は図１の樋部材の斜視図、図４は図１の支持部材の斜視図である。
【００１６】
図１において、本発明の実施の形態における樋装置１は、連棟型ビニールハウスの屋根２ａと屋根２ｂとの間に形成される谷部３を構成する谷樋部材４の下方に配設されている。屋根２ａ，２ｂは、アーチパイプ５、樹脂フィルム材６や、図示しないシート材止め条材等を用いて形成されている。また、図２に示すように、谷部３の下方には、谷部３の形成方向に所定間隔で支柱７が配置されている。谷樋部材４は、例えば、押し出し成形、ロールフォーミング成形やベンダー成形等により製造されたアルミニウム製やスチール製等の金属製である。
【００１７】
樋装置１は、谷部３に沿ってその下方に配される樹脂フィルム材１０と、谷部３の下方に谷部３の形成方向に沿って延設される樋部材１１とを有する。図３に示すように、樋部材１１は、断面半円状の樋本体部１１ａと、樹脂フィルム材１０の下端部が内挿される断面凹状の耳部１１ｂとを備える。樋部材１１は、例えば、押し出し成形、ロールフォーミング成形やベンダー成形等により製造されたアルミニウム製やスチール製等の金属製である。樋部材１１が配置される連棟型ビニールハウスの谷部３付近は高温になるため、金属製とすることで熱による変形や膨張等を防ぐことができる。
【００１８】
耳部１１ｂは、樋本体部１１ａの両上端部に設けられ、樋部材１１の内側に向かって断面凹状の開口面が形成されている。また、耳部１１ｂの上縁部には、耳部１１ｂ内に嵌合される固定部材１２が容易に抜け出さないように鉤状の抜止部１１ｃが形成されている。固定部材１２は、耳部１１ｂに内挿された樹脂フィルム材１０の上から挿入され、樹脂フィルム材１０を固定するものである。固定部材１２は、耳部１１ｂ内に着脱可能に嵌合されるように、例えば、ゴム、プラスチックや金属等により紐状や棒状に形成されたものである。
【００１９】
また、樋部材１１は、支柱７に対し、谷部３を挟んで両側に並設されている。樋部材１１は、図４に示す支持部材１３を用いて支柱７に支持される。支持部材１３は、支柱７に固定される固定プレート部１３ａと、固定プレート部１３ａに一体成形され、樋部材１１を支持する断面半円状の樋支持部１３ｂと、樋部材１１の耳部１１ｂの外側に嵌合される凹部１３ｃとを備えている。なお、支持部材１３は、支柱７に樋部材１１を固定可能であれば良く、他の形状のものや、他の固定手段を用いることも可能である。
【００２０】
上記構成の樋装置１では、屋根２ａと屋根２ｂとの間に形成された谷部３に沿ってその下方に樹脂フィルム材１０が配され、この樹脂フィルム材１０の下端部が樋部材１１の耳部１１ｂ内に内挿され、この耳部１１ｂ内の樹脂フィルム材１０の上から固定部材１２が挿入されることにより、樹脂フィルム材１０が樋部材１１の耳部１１ｂ内に固定される。一方、樹脂フィルム材１０の上端部は、パッカー８等の固定具によりアーチパイプ５に固定されている。これにより、屋根２ａ，２ｂの内面および谷樋部材４の下面から落下する水滴を、樋部材１１の真上からだけでなく、樹脂フィルム材１０により広範囲から受けて、樋部材１１に導き、所定位置に排水することが可能となっている。
【００２１】
また、本実施形態における樋装置１では、支柱７と支柱７との間であって、並設された樋部材１１の間にも、同様に樹脂フィルム材１４を配することが可能である。この樹脂フィルム材１４の端部は、それぞれの樋部材１１の内側の耳部１１ｂ内に内挿され、この耳部１１ｂ内の樹脂フィルム材１４の上から固定部材１２が挿入されることにより、樹脂フィルム材１４が樋部材１１の耳部１１ｂ内に固定される。したがって、この樹脂フィルム材１４によっても、屋根２ａ，２ｂの内面および谷樋部材４の下面から落下する水滴を受けて樋部材１１にそれぞれ導き、所定位置に排水することが可能となっている。
【００２２】
また、本実施形態における樋装置１では、固定部材１２を樋部材１１の耳部１１ｂ内に挿入するだけで簡単に樹脂フィルム材１０，１４を固定することができるとともに、不要時には固定部材１２を樋部材１１の耳部１１ｂ内から取り外すだけで簡単に樹脂フィルム材１０，１４の固定を解くことができるので、必要に応じて谷部３の下方に配される樹脂フィルム材１０，１４の取り付けおよび取り外しを容易に行うことが可能となっている。
【００２３】
また、本実施形態における樋装置１では、屋根２ａ，２ｂから降りてくる冷気が、その下方に配された樹脂フィルム材１０，１４によって遮断されるため、ビニールハウス内の環境へ悪影響を及ぼすのを防止することができる。
【００２４】
さらに、本実施形態における樋装置１では、寒冷地において屋根２ａと屋根２ｂとの間に形成された谷部３に溜まった雪を溶かすために、屋根２ａ，２ｂの谷部３とその下方に配された樹脂フィルム材１０，１４との間のわずかな空間だけを暖めるだけで良いため、効率良く短時間で融雪することが可能となっている。
【産業上の利用可能性】
【００２５】
本発明の樋装置は、連棟型ビニールハウスの谷部を形成する谷樋部材の下方に配設される装置として有用である。
【符号の説明】
【００２６】
１  樋装置
２ａ，２ｂ  屋根
３  谷部
４  谷樋部材
５  アーチパイプ
６，１０，１４  樹脂フィルム材
７  支柱
８  パッカー
１１  樋部材
１１ａ  樋本体部
１１ｂ  耳部
１１ｃ  抜止部
１２  固定部材
１３  支持部材
１３ａ  固定プレート部
１３ｂ  樋支持部
１３ｃ  凹部
【図１】
2015014099.tif 000003
【図２】
2015014099.tif 000004
【図３】
2015014099.tif 000005
【図４】
2015014099.tif 000006